(57)【要約】【課題】メモリーカードの挿入側端部の表裏に効率良く面取り加工を施すようにする。【解決手段】挿入側端部２０ｃを露出させて固定治具１００の挿入孔１１１ａ、１１１ｂにメモリーカードを挿入して起立状態とし、挿入側端部２０ｃに面取り成形ブレードを接触させて切削を行うことにより、挿入側端部を効率良く面取りする。【選択図】図５
2008112253.tif 000002
【特許請求の範囲】
【請求項１】
メモリーカードの挿入側端部を面取り加工するメモリーカード加工装置であって、
メモリーカードの挿入側端部を露出させて該メモリーカードを起立状態で支持する固定治具と、該固定治具を保持する保持手段と、該挿入側端部に作用して面取り加工を施す回転可能な面取り成形ブレードを備えた切削手段と、該保持手段と該切削手段とを該挿入側端部の長手方向に相対的に加工送りする加工送り手段と、該保持手段と該切削手段とを該挿入側端部の長手方向に直交する方向に割り出し送りして該面取り成形ブレードと該挿入側端部とを位置合わせする割り出し送り手段と
を少なくとも備えたメモリーカード加工装置。
【請求項２】
前記固定治具は、前記メモリーカードの挿入側端部の長手方向に複数のメモリーカードを整列させて固定する固定部が形成されている請求項１に記載のメモリーカード加工装置。
【請求項３】
前記固定治具は、前記メモリーカードの挿入側端部の長手方向に直交する方向に複数のメモリーカードを整列させて固定する固定部が形成されている請求項１または２に記載のメモリーカード加工装置。
【発明の詳細な説明】
【技術分野】
【０００１】
本発明は、メモリーカードを製造する際に用いるメモリーカード加工装置に関するものである。
【背景技術】
【０００２】
各種電子機器のカードスロットに挿入して使用されるＳＤカード（登録商標）、ｍｉｎｉＳＤ（登録商標）等のメモリーカードは、配線基板に複数のメモリー素子が実装され、モールド樹脂によって被覆されて形成されている（例えば特許文献１参照）。かかるメモリーカードは、１枚の配線基板にメモリー素子が格子状に実装され全体がモールド樹脂によって被覆されてパッケージ基板が形成された後に、パッケージ基板のメモリー素子間の領域を切削等して分離させることにより形成される。また、メモリーカードの形状は規格化されており、メモリーカードがカードスロットに挿入された際にカードスロットの側壁と対面する側部には、挿入の際の表裏及び前後方向の認識を可能とするための異形部が形成される。また、異形部が形成されない角部には面取り加工が施される。
【０００３】
【特許文献１】特開２００３−４４８０４号公報
【０００４】
しかし、パッケージ基板を切削等により分割した段階では、異形部及び面取り部が形成されていないため、個々のメモリーカードごとにレーザー加工、ルーター加工等により異形部及び面取り部を形成しなければならず、生産性が低いという問題がある。
【０００５】
そこで、本出願人は、パッケージ基板が分割されて矩形に形成された状態のメモリーカードの側部を総型ブレードで研削して効率良く異形部を形成すると共に面取り加工を施す技術を開発し、特許出願した（特願２００６−２２１６０）。
【発明の開示】
【発明が解決しようとする課題】
【０００６】
ところが、メモリーカードがカードスロットに挿入される際に最初に挿入される方の辺である挿入側端部の表裏にも面取り加工を施す必要があり、かかる面取り加工を施す際には、メモリーカードを固定し、挿入側端部の表側を円錐台形状の研削砥石によって面取り加工し、その後メモリーカードの表裏を反転させてから挿入側端部の裏側を円錐台形状の研削砥石によって面取り加工しなければならないため、生産性が低いという問題がある。
【０００７】
そこで、本発明が解決しようとする課題は、メモリーカードの挿入側端部の表裏に効率良く面取り加工を施すようにすることにある。
【課題を解決するための手段】
【０００８】
本発明は、メモリーカードの挿入側端部を面取り加工するメモリーカード加工装置に関するもので、メモリーカードの挿入側端部を露出させてメモリーカードを起立状態で支持する固定治具と、固定治具を保持する保持手段と、挿入側端部に作用して面取り加工を施す回転可能な面取り成形ブレードを備えた切削手段と、保持手段と切削手段とを挿入側端部の長手方向に相対的に加工送りする加工送り手段と、保持手段と切削手段とを挿入側端部の長手方向に直交する方向に割り出し送りして面取り成形ブレードと挿入側端部とを位置合わせする割り出し送り手段とを少なくとも備えることを特徴とする。
【０００９】
固定治具は、メモリーカードの挿入側端部の長手方向に複数のメモリーカードを整列させて固定する固定部が形成されているものと、メモリーカードの挿入側端部の長手方向に直交する方向に複数のメモリーカードを整列させて固定する固定部が形成されているものとがある。
【発明の効果】
【００１０】
本発明では、固定治具において挿入側端部を露出させた状態でメモリーカードを保持し、保持手段によって固定治具を保持した状態で、メモリーカードの挿入側端部に面取り成形ブレードを作用させて面取りを行うことができるため、挿入側端部を効率良く面取りすることができ、生産性が向上する。
【００１１】
また、固定治具に、メモリーカードの挿入側端部の長手方向に複数のメモリーカードを整列させて固定する固定部が形成されていることにより、一度の切削ストロークで複数のメモリーカードの挿入側端部を面取りすることができる。
【００１２】
更に、固定治具に、メモリーカードの挿入側端部の長手方向に直交する方向に複数のメモリーカードを固定する固定部が形成されていることにより、メモリーカードの側部を成形することもできる。
【発明を実施するための最良の形態】
【００１３】
図１に示す固定治具１は、加工対象のメモリーカードを保持する治具であり、メモリーカードがカードスロットに挿入された際にカードスロットの側壁と対面する側部の成形時に用いるものである。固定治具１は、治具本体２と、ステンレス等の硬質材料によって形成され治具本体２に収容される第一の固定部３及び第二の固定部４と、治具本体２に収容される硬質ウレタン等の弾性材料からなる緩衝部材５と、治具本体２に取り付けられる第一の支持部材６及び第二の支持部材７と、第一の支持部材６及び第二の支持部材７を固定するネジ８と、治具本体１に収容されるバネ９とを有している。
【００１４】
治具本体２は、メモリーカード加工装置に着脱自在に保持される表面側の被保持部１０ａ及び裏面側の被保持部１０ｂと、メモリーカードが挿入される個々のメモリーカード挿入孔１１が一列に整列して形成された第一の挿入孔列１１ａと、第一の挿入孔列１１ａに平行に併設されメモリーカードが挿入されるメモリーカード挿入孔１１が一列に整列して形成された第二の挿入孔列１１ｂと、第一の固定部３及び第二の固定部４が収容される第一の固定部収容孔１２及び第二の固定部収容孔１３と、緩衝部材５が収容される緩衝部材収容孔１４と、バネ９を収容するバネ収容部１５と、ネジ８を螺合させるネジ穴１６とを備えている。また、治具本体２の表面及び裏面には、第一の固定部３及び第二の固定部４をスライドさせるための開閉長孔１７と、固定治具１をメモリーカード加工装置に固定する際の位置合わせ用の位置決め穴１８とが複数形成されている。更に、第一の支持部材６及び第二の支持部材７には、ネジ８を貫通させるための貫通孔１９が複数形成されている。固定治具１は、第一の挿入孔列１１ａ及び第二の挿入孔列１１ｂの整列方向（図示の例では長手方向）の中間の対称軸２ａを基準として対称に形成されている。
【００１５】
第一の固定部３及び第二の固定部４においては、緩衝部材５の方に向く側面に硬質ウレタン等の弾性部材３ａ、４ａがそれぞれ固着されており、表裏を貫通する係合孔３ｂ、４ｂがそれぞれ形成されている。
【００１６】
図２に示すように、第一の挿入孔列１１ａ及び第二の挿入孔列１１ｂを構成する個々のメモリーカード挿入孔１１には、成形前のメモリーカード２０が挿入される。メモリーカード２０は、カードスロットに挿入される側の挿入側端部２０ｃと、挿入側端部２０ｃに直交する２つの第一の側部２０ａ及び第二の側部２０ｂとを有している。
【００１７】
図示の例では、個々のメモリーカード挿入孔１１は、メモリーカード２０を２つの向きに挿入できる形状となっており、第一の挿入孔列１１ａと第二の挿入孔列１１ｂとでは、挿入されるメモリーカード２０の向きが異なっている。図示の例では、第一の挿入孔列１１ａを構成するメモリーカード挿入孔１１に挿入されるメモリーカード２０は第一の側部２０ａが上方に露出するように挿入され、第二の挿入孔列１１ｂを構成するメモリーカード挿入孔１１に挿入されるメモリーカード２０は第二の側部２０ｂが上方に露出するように挿入されている。なお、第一の挿入孔列１１ａを構成するメモリーカード挿入孔１１に挿入されるメモリーカード２０を第二の側部２０ｂが上方に露出するようにすると共に、第二の挿入孔列１１ｂを構成するメモリーカード挿入孔１１に挿入されるメモリーカード２０を第一の側部２０ａが上方に露出するようにしてもよい。
【００１８】
また、個々のメモリーカード挿入孔１１にメモリーカード２０が挿入された状態では、側部２０ａまたは側部２０ｂの長手方向、すなわち挿入側端部２０ｃの長手方向に直交する方向に複数のメモリーカード２０が整列した状態となっている。
【００１９】
一方、メモリーカード挿入孔１１は表裏面を貫通しているため、第一の挿入孔列１１ａに収容されたメモリーカード２０は第二の側部２０ｂが固定治具１の裏面から露出し、第一の挿入孔列１１ａに収容されたメモリーカード２０は第一の側部２０ｂが固定治具１の裏面から露出する。
【００２０】
第一の挿入孔列１１ａに収容されたメモリーカード２０は、緩衝部材５と第一の固定部３との間に入り込み、第二の挿入孔列１１ｂに収容されたメモリーカード２０は、緩衝部材５と第二の固定部材４との間に入り込む。メモリーカード２０は、第一の固定部３及び第二の固定部４の互いの距離を拡張させるためのピンを開閉長孔１７に差し込み、そのピンを図１に示した係合孔３ｂ、４ｂに係合させて第一の固定部３と第二の固定部４とが離れる方向に引っ張り、バネ９の付勢力に抗して第一の固定部３及び第二の固定部４を互いに離れる方向に若干移動させた状態で、第一の挿入孔列１１ａ及び第二の挿入孔列１１ｂを構成するメモリーカード挿入孔１１に挿入される。そして、当該ピンを取り外すと、バネの付勢力によって、図３に示すように、第一の挿入孔列１１ａを構成するメモリーカード挿入孔１１に挿入されたメモリーカード２０が緩衝部材５と第一の固定部３とによって挟持され、第二の挿入孔列１１ｂを構成するメモリーカード挿入孔１１に挿入されたメモリーカード２０が緩衝部材５と第二の固定部４とによって挟持され、いずれも安定した状態となる。こうして、第一の固定部３、第二の固定部４及び緩衝部材５００は、メモリーカードの挿入側端部の長手方向に直交する方向に複数のメモリーカードを整列させて固定する固定部として機能する。
【００２１】
一方、図４に示す固定治具１００は、図２に示した挿入側端部２０ｃの面取り時にメモリーカード２０を保持する治具であり、図１に示した固定治具１の治具本体２における第一の挿入孔列１１ａ及び第二の挿入孔列１１ｂに代えて、治具本体２００に第一の挿入孔１１１ａ及び第二の挿入孔１１１ｂを備えている。この第一の挿入孔１１１ａ及び第二の挿入孔１１１ｂは、図示の例では治具本体２００の長手方向に長尺な一連の孔であり、図５に示すように、１つの孔に複数のメモリーカード２０を連続して収容することができる。また、図１に示した緩衝部材５に代えて、緩衝部材５よりも幅の広い緩衝部材５００を備えている。この幅の相違は、メモリーカード２０の挿入方向の違いに起因するものである。また、これに対応して、緩衝部材収容孔１４０も、図１に示した固定治具１の緩衝部材収容孔１４より幅が広く形成されている。なお、第一の挿入孔１１１ａ、第二の挿入孔１１１ｂ及び緩衝部材５００以外の部位については、図１に示した固定治具１と同様に構成されるため、同様に構成される部位については同一の符号を付し、その説明は省略することとする。
【００２２】
図５に示すように、メモリーカード２０は、挿入側端部２０ｃが露出するように起立状態で第一の挿入孔１１１ａ及び第二の挿入孔１１１ｂに挿入される。そして、第一の挿入孔１１１ａに挿入されたメモリーカード２０は、緩衝部材５００と第一の固定部３との間に入り込み、第二の挿入孔１１１ｂに収容されたメモリーカード２０は、緩衝部材５００と第二の固定部材４との間に入り込む。
【００２３】
メモリーカード２０は、第一の固定部３及び第二の固定部４の互いの距離を拡張させるためのピンを開閉長孔１７に差し込み、そのピンを図４に示した係合孔３ｂ、４ｂに係合させて第一の固定部３と第二の固定部４とが離れる方向に引っ張り、バネ９の付勢力に抗して第一の固定部３及び第二の固定部４を互いに離れる方向に若干移動させた状態で、第一の挿入孔１１１ａ及び第二の挿入孔１１１ｂに挿入される。そして、当該ピンを取り外すと、バネの付勢力によって、図６に示すように、第一の挿入孔１１１ａに挿入されたメモリーカード２０が緩衝部材５００と第一の固定部３とによって挟持され、第二の挿入孔１１１ｂに挿入されたメモリーカード２０が緩衝部材５００と第二の固定部４とによって挟持され、いずれも安定した状態で支持される。
【００２４】
図１〜図６に示したようにして複数のメモリーカード２０が挿入された固定治具１、１００は、例えば図７に示すメモリーカード加工装置３０におけるメモリーカードの成形に用いられる。このメモリーカード加工装置３０は、メモリーカード２０の側部２０ａ、２０ｂ及び挿入側端部２０ｃを成形する切削手段３１と、固定治具１、１００を保持してＸ軸方向に移動可能な移動テーブル３２とを備えている。
【００２５】
移動テーブル３２は、Ｘ軸方向に移動可能であるとともに回転可能となっており、図８に示すように、固定治具１または固定治具１００を保持できる着脱自在な保持手段３２０を備えている。保持手段３２０は、Ｘ軸方向に移動可能であり、例えば多孔質の吸引部３２１を有しており、吸引部３２１は移動テーブル３２の下方に設けられた図示しない吸引源と連通している。また、保持手段３２０の上面には、載置される固定治具１、１００に形成された位置決め穴１８（図１及び図４参照）に対応する位置決め突起３２２が形成されており、位置決め突起３２２に位置決め穴１８を嵌合させた状態で、保持手段３２０に固定治具１、１００が載置され、吸引部３２１によって吸引されて保持される。
【００２６】
図７の例では、切削手段３１は、メモリーカード２０の第一の側部２０ａを切削して成形する第一の成形ブレード３３３及び挿入側端部２０ｃを切削して成形する第三の成形ブレード３３５を備えた第一の切削手段３３と、メモリーカード２０の第二の側部２０ｂを切削して成形する第二の成形ブレード３４３を備えた第二の切削手段３４とから構成される。
【００２７】
図７に示すように、第一の切削手段３３では、第一のハウジング３３０によって第一のスピンドル３３１が回転可能に支持されている。図９に示すように、第一の成形ブレード３３３は、円筒上のホイール３３３ａの外周に電着等によって第一の砥石部３３３ｂが固着されて構成され、ホイール３３３ａが第一のスピンドル３３１に挿入され、フランジ３３２とナット３３４とで挟持され固定されている。一方、第三の成形ブレード３３５は、円筒上のホイール３３５ａの外周に電着等によって第三の砥石部３３５ｂが固着されて構成され、ホイール３３５ａが第一のスピンドル３３１に挿入され、フランジ３３６、３３７によって挟持され固定されている。第一の砥石部３３３ｂ及び第三の砥石部３３５ｂは、例えばダイヤモンド砥粒等の砥粒をニッケルめっき等で固定して構成される。第一の砥石部３３３ａは、メモリーカード２０の第一の側部２０ａの所望の形状に対応する側面形状を有している。一方、第三の砥石部３３５ｂは、メモリーカード２０の挿入側端部２０ｃの所望の面取り形状に対応する側面形状を有する面取り成形ブレードである。
【００２８】
図７に示すように、第二の切削手段３４では、第二のハウジング３４０によって第二のスピンドル３４１が回転可能に支持されている。図１０に示すように、第二の成形ブレード３４３は、円筒上のホイール３４３ａの外周に電着等によって第二の砥石部３４３ｂが固着されて構成され、ホイール３４３ａが第二のスピンドル３４１に挿入され、フランジ３４２とナット３４４とで挟持され固定されている。第二の砥石部３４３ｂは、例えばダイヤモンド砥粒等の砥粒をニッケルめっき等で固定して構成され、メモリーカード２０の第二の側部２０ｂの所望の形状に対応する側面形状を有している。
【００２９】
保持手段３２０は、図１１に示す加工送り手段３６によって駆動されてＸ軸方向に加工送りされる。加工送り手段３６は、Ｘ軸方向に配設されたボールネジ３６０と、ボールネジ３６０と平行に配設された一対のガイドレール３６１と、ボールネジ３６０の一端に連結されボールネジ３６０を回動させるモータ３６２とを備えている。移動テーブル３２は、その内部のナットがボールネジ３６０に螺合すると共に下部がガイドレール３６１に摺接しており、モータ３６２に駆動されてボールネジ３６０が回動するのに伴い移動テーブル３２がガイドレール３６１にガイドされてＸ軸方向に移動し、保持手段３２０も同方向に移動する構成となっている。保持手段３２０に固定治具１００が保持された際における保持手段３２０の移動方向は、固定治具１００の第一の挿入孔１１１ａ及び第二の挿入孔１１１ｂに挿入されたメモリーカード２０の挿入側端部２０ｃの長手方向となる。
【００３０】
図１１に示すように、第一の切削手段３３は、割り出し送り手段３７によって駆動されてＹ軸方向に割り出し送りされる。割り出し送り手段３７は、Ｙ軸方向に配設されたボールネジ３７０と、ボールネジ３７０の一端に連結されボールネジ３７０を回動させるパルスモータ３７１と、ボールネジ３７０と平行に配設された一対のガイドレール３７２とを備え、ボールネジ３７０には移動基台３７３の内部のナットが螺合し、移動基台３７３の下部はガイドレール３７２に摺接しており、パルスモータ３７１に駆動されてボールネジ３７０が回動するのに伴い、移動基台３７３がガイドレール３７２にガイドされてＹ軸方向に移動する構成となっている。なお、第二の切削手段３４も、同様に構成される割り出し送り手段によってＹ軸方向に移動する構成となっているが、図示及び説明は省略する。
【００３１】
移動基台３７３の側面には、第一の切削手段３３をＺ軸方向に切り込み送りする切り込み送り手段３８が設けられている。切り込み送り手段３８は、Ｚ軸方向（切り込み方向）に配設されたボールネジ３８０と、ボールネジ３８０の一端に連結されたパルスモータ３８１と、ボールネジ３８０と平行に配設された一対のガイドレール３８２とを備え、ボールネジ３８０には、第一の切削手段３３を支持する支持部３８３の内部のナットが螺合し、支持部３８３の側部がガイドレール３８２に摺接しており、パルスモータ３８１に駆動されてボールネジ３８０が回動するのに伴い、支持部３８３がガイドレール３８２にガイドされてＺ軸方向に移動し、第一の切削手段３３も同方向に移動する構成となっている。なお、第二の切削手段３４も、同様に構成される切り込み送り手段によってＺ軸方向に移動する構成となっているが、図示及び説明は省略する。
【００３２】
メモリーカード２０は、最終的には第一の側部２０ａと第二の側部２０ｂの形状が異なる非対称形に成形されるため、図９及び図１０に示した第一の砥石部３３３ｂと第二の砥石部３４３ｂとは、その側面形状が異なる。また、メモリーカード２０の挿入側端部２０ｃも、第一の側部２０ａ及び第二の側部２０ｂと異なる形状に形成されるため、第三の砥石部の側面形状も、第一の砥石部３３３ｂ及び第二の砥石部３４３ｂと異なる。
【００３３】
図７に示すように、移動テーブル３２の移動経路の上方には、アライメント手段３５が配設されている。アライメント手段３５は、撮像部３５０を備えており、固定治具１、１００を撮像してその特定の領域を検出することにより、移動テーブル３２に保持された固定治具１、１００の角度調整や、第一の切削手段３３及び第二の切削手段３４のＹ軸方向の位置決めを行い、固定治具１、１００に固定されたメモリーカード２０との関係における位置合わせをする。
【００３４】
メモリーカード２０の側部を所望の形状に成形する際には、図２及び図３に示したように、第一の挿入孔列１１ａを構成する各メモリーカード挿入孔１１には、第一の側部２０ａが固定治具１の表面側から露出した状態でメモリーカード２０が挿入される。このとき、第二の側部２０ｂは、固定治具１の裏面側から露出する。一方、第二の挿入孔列１１ｂを構成する各メモリーカード挿入孔１１には、第二の側部２０ｂが固定治具１の表面側から露出した状態でメモリーカード２０が挿入され、第一の側部２０ａは、固定治具１の裏面側から露出する。
【００３５】
そして、固定治具１の被保持部１０ｂ側が移動テーブル３２の保持手段３２０に保持され、移動テーブル３２を図７に示したＸ軸方向に移動させて、アライメント手段３５の直下に移動させ、保持手段３２０の角度の微調整や、第一の挿入孔列１１ａに固定されたメモリーカード２０と第一の成形ブレード３３３とのＹ軸方向の位置合わせ及び第二の挿入孔列１１ｂに固定されたメモリーカード２０と第二の成形ブレード３４３とのＹ軸方向の位置合わせが行われる。すなわち、図１２に示すように、第一の挿入孔列１１ａを構成するメモリーカード挿入孔１１に保持されたメモリーカード２０の移動経路の直上に第一の成形ブレード３３３を位置させると共に、第二の挿入孔列１１ｂを構成するメモリーカード挿入孔１１に保持されたメモリーカード２０の移動経路の直上に第二の成形ブレード３４３を位置させる。
【００３６】
その後、移動テーブル３２が、図７に示した＋Ｘ方向に移動すると共に、第一の成形ブレード３３３及び第二の成形ブレード３４３が高速回転しながら第一の切削手段３３及び第二の切削手段３４が下降し、図１３に示すように、第一の成形ブレード３３３は、第一の挿入孔列１１ａに固定され上方に露出した複数のメモリーカード２０の第一の側部２０ａに接触し、第二の成形ブレード３４３は、第二の挿入孔列１１ｂに固定され上方に露出した複数のメモリーカード２０の第二の側部２０ｂに接触する。そうすると、第一の挿入孔列１１ａに固定されたメモリーカード２０の第一の側部２０ａには、第一の砥石部３３３ｂの形状が転写され、第一の挿入孔列１１ｂに固定されたメモリーカード２０の第二の側部２０ｂには、第二の砥石部３４３ｂの形状が転写される。
【００３７】
次に、図８に示した保持手段３２０から固定治具１を取り外し、第一の挿入孔列１１ａと第二の挿入孔列１１ｂの整列方向の中間の対称軸２ａを基準として固定治具１の表裏を反転させてから、固定治具１の被保持部１０ａ側を保持手段３２０に保持させる。このとき、図１４に示すように、第一の挿入孔列１１ａに固定されたメモリーカード２０については第二の側部２０ｂが上方に露出し、第二の挿入孔列１１ｂに固定されたメモリーカード２０については第一の側部２０ａが上方に露出した状態となる。また、固定治具１は、第一の挿入孔列１１ａ及び第二の挿入孔列１１ｂの整列方向の中間を基準として対称に形成されているため、裏返すことにより、第一の成形ブレード３３３の下方に第二の挿入孔列１１ｂに固定されたメモリーカード２０が位置し、第二の成形ブレード３４３の下方に第一の挿入孔列１１ａに固定されたメモリーカード２０が位置する。したがって、第一の成形ブレード３３３及び第二の成形ブレード３４３のＹ軸方向の位置を変更する必要がない。
【００３８】
そしてその状態で、図１４に示すように、第一の挿入孔列１１ａに保持されたメモリーカード２０については第二の側部２０ｂに第二の成形ブレード３４３を接触させ、第二の挿入孔列１１ｂに保持されたメモリーカード２０については第一の側部２０ａに第一の成形ブレード３３３を接触させる。そうすると、メモリーカード２０の第二の側部２０ｂには第二の砥石部３４３ｂの形状が転写され、メモリーカード２０の第一の側部２０ａには第一の砥石部３３３ｂの形状が転写される。なお、固定治具１が精密に形成されていれば、保持手段３２０の向きの微調整は必ずしも必要とされない。
【００３９】
このようにして、すべてのメモリーカード２０ａについて、第一の側部２０ａ及び第二の側部２０ｂに第一の砥石部３３３ｂ及び第二の砥石部３４３ｂの形状が転写され、図１５に示す形状のメモリーカード２１となる。このメモリーカード２１においては、４つの角が面取りされており、そのうちの２つの面取り部２１０、２１１は、第一の砥石部３３３ｂの形状が転写されて形成されたものである。一方、残りの２つの面取り部２１２、２１３は、第二の砥石部３４３ｂの形状が転写されて形成されたものである。また、第二の側部２０ｂには異形部２１４が形成されており、この異形部２１４は、第二の砥石部３４３ｂの形状が転写されて形成されたものである。
【００４０】
次に、メモリーカードの挿入側端部２０ｃの面取りを行うために、図１５に示したように４つの角が面取りされ異形部２１４が形成された複数のメモリーカード２１を、図４に示した固定治具１００の第一の挿入孔１１１ａ及び第二の挿入孔１１１ｂに挿入する。第一の挿入孔１１１ａ及び第二の挿入孔１１１ｂには、これらの挿入孔の長手方向とメモリーカード２１の挿入側端部２０ｃの長手方向とが同方向となるように、かつ、図１６に示すように、挿入側端部２０ｃが上方に露出して起立した状態となるようにメモリーカード２１を挿入する。その際、固定治具１の場合と同様に、第一の固定部３及び第二の固定部４の互いの距離を拡張させるためのピンを開閉長孔１７に差し込み、そのピンを図４に示した係合孔３ｂ、４ｂに係合させて第一の固定部３と第二の固定部４とが離れる方向に引っ張り、バネ９の付勢力に抗して第一の固定部３及び第二の固定部４を互いに離れる方向に若干移動させた状態で、第一の挿入孔列１１１ａ及び第二の挿入孔列１１１ｂにメモリーカード２０が挿入される。そして、当該ピンを取り外すと、バネの付勢力によって、図６に示したように、第一の挿入孔１１１ａに挿入されたメモリーカード２０が緩衝部材５００と第一の固定部３とによって挟持され、第二の挿入孔列１１１に挿入されたメモリーカード２０が緩衝部材５００と第二の固定部４とによって挟持され、いずれも安定した状態となる。この状態では、第一の固定部３、第二の固定部４及び緩衝部材５００は、メモリーカード２０の挿入側端部２０ｃの長手方向に複数のメモリーカード２０を整列させて固定する固定部として機能する。
【００４１】
次に、図１６に示すように、その固定治具１００を保持手段３２０において保持し、第三の成形ブレード３３５を第一の挿入孔１１１ａまたは第二の挿入孔１１１ｂのいずれかに挿入されたメモリーカード２１の直上に位置付ける。そして、図１７に示すように、保持手段３２０を図７に示したＸ軸方向に移動させると共に、第一のスピンドル３３１を高速回転させながら第一の切削手段３３を下降させて、高速回転する第三の成形ブレード３３５をメモリーカード２１の挿入側端部２０ｃに接触させて、挿入側端部２０ｃを切削する。そうすると、第三の砥石部３３５ｂの形状が挿入側端部２０ｃに転写され、図１８に示すように、挿入側端部２０ｃが一様に面取りされ、面取り部２２０、２２１が形成されたメモリーカード２２が形成される。
【００４２】
次に、第一の切削手段３３を＋Ｙ方向に割り出し送りすることにより、第三の成形ブレード３３５を第二の挿入孔１１１ｂに挿入されたメモリーカード２０の直上に位置させ、その状態で保持手段３２０をＸ軸方向に移動させると共に、第一のスピンドル３３１を高速回転させながら第一の切削手段３３を下降させて、図１９に示すように、挿入側端部２０ｃを切削する。そうすると、第三の砥石部３３５ｂの形状が挿入側端部２０ｃに転写され、図２０に示すように、挿入側端部２０ｃの角部が面取りされたメモリーカード２２が形成される。
【００４３】
挿入側端部２０ｃの面取り成形時には、挿入側端部２０ｃの長手方向と加工送りの方向とが一致しているため、第一の挿入孔１１１ａ及び第二の挿入孔１１１ｂに挿入されたすべてのメモリーカードの挿入側端部２０ｃを１回のストロークで切削することができ、効率的である。
【００４４】
第二の挿入孔１１１ｂに挿入されたメモリーカードの挿入側端部２０ｃを切削する際には、第一の切削手段３３を割り出し送りする代わりに、第一の挿入孔１１１ａ及び第二の挿入孔１１１ｂの長手方向の中間の対称軸２００ａ（図４参照）を基準として反転させて保持手段３２０において保持し、第三の成形ブレード３３５の直下に第二の挿入孔１１１ｂに挿入された面取り前のメモリーカードを位置させるようにしてもよい。
【００４５】
なお、上記の例では、固定治具１００を保持した保持手段３２をＸ軸方向（メモリーカードの挿入側端部の長手方向）に移動させると共に、第三の成形ブレード３３５をＹ軸方向（当該挿入側端部の長手方向に直交する方向）に移動させて切削することとしたが、保持手段３２０がＸ軸方向に移動せずに第三の成形ブレード３３５がＸ軸方向に移動するように構成してもよいし、保持手段３２０がＹ軸方向に移動し第三の成形ブレード３３５がＹ軸方向に移動しないように構成してもよい。すなわち、保持手段３２０と各切削手段とは、相対的にＸ軸方向及びＹ軸方向に位置関係を変化させることができる関係であればよい。
【００４６】
また、上記の例では、第一の成形ブレード３３３と第三の成形ブレード３３５とを共通のスピンドルに装着することとしたが、第三の成形ブレード３３５を第二のスピンドル３４１に装着するように構成することもできるし、第三の成形ブレード３３５を第一のスピンドル３３１及び第二のスピンドル３４１とは別の専用のスピンドルに装着するように構成してもよい。更に、第三の成形ブレード３３５を複数備えるようにしてもよい。
【００４７】
以上のようにして、固定治具１００における第一の挿入孔１１１ａと第二の挿入孔１１１ｂとでメモリーカード２０を保持し、それぞれの挿入側端部２０ｃを第三の成形ブレード３３５することにより、メモリーカード２０の挿入側端部２０ｃを効率良くすることができる。
【図面の簡単な説明】
【００４８】
【図１】固定治具の第一の例を示す分解斜視図である。
【図２】第一の例の固定治具にメモリーカードを挿入する状態を示す斜視図である。
【図３】第一の例の固定治具にメモリーカードが挿入された状態を示す断面図である。
【図４】固定治具の第二の例を示す分解斜視図である。
【図５】第二の例の固定治具にメモリーカードを挿入する状態を示す斜視図である。
【図６】第二の例の固定治具にメモリーカードが挿入された状態を示す断面図である。
【図７】メモリーカード加工装置の一例を示す斜視図である。
【図８】保持手段及び固定治具を示す斜視図である。
【図９】第一の成形ブレード及び第三の成形ブレードを示す断面図である。
【図１０】第二の成形ブレードを示す断面図である。
【図１１】加工送り手段、割り出し送り手段及び切り込み送り手段を略示的に示す背面図である。
【図１２】第一の成形ブレード及び第二の成形ブレードをメモリーカードに位置合わせした状態を示す正面図である。
【図１３】メモリーカードの側部に異形部及び面取り部を形成する状態を示す正面図である。
【図１４】メモリーカードの側部に異形部及び面取り部を形成する状態を示す正面図である。
【図１５】側部に異形部及び面取り部が形成されたメモリーカードを示す正面図である。
【図１６】第三の成形ブレードをメモリーカードに位置合わせした状態を示す正面図である。
【図１７】メモリーカードの挿入側端部を面取りする状態を示す正面図である。
【図１８】挿入側端部が面取りされたメモリーカードを示す側面図である。
【図１９】メモリーカードの挿入側端部を面取りする状態を示す正面図である。
【図２０】挿入側端部が面取りされたメモリーカードを示す側面図である。
【符号の説明】
【００４９】
１、１００：固定治具
２、２００：治具本体  ２ａ、２００ａ：対称軸
３：第一の固定部  ４：第二の固定部  ５、５００：緩衝部材
６：第一の支持部材  ７：第二の支持部材  ８：ネジ  ９：バネ
１０ａ、１０ｂ：被保持部  １１：メモリーカード挿入孔
１１ａ：第一の挿入孔列  １１ｂ：第二の挿入孔列
１１１ａ：第一の挿入孔  １１１ｂ：第二の挿入孔
１２：第一の固定部収容孔  １３：第二の固定部収容孔  １４、１４０：緩衝部材収容孔
１５：バネ収容部  １６：ネジ穴  １７：開閉長孔  １８：位置決め穴  １９：貫通孔
２０、２１、２２：メモリーカード
２０ａ：第一の側部  ２０ｂ：第二の側部  ２０ｃ：挿入側端部
２１０〜２１３：面取り部  ２１４：異形部
２２０、２２１：面取り部
３０：メモリーカード加工装置
３１：切削手段  ３２：移動テーブル
３２０：保持部  ３２１：吸引部  ３２２：位置決め突起
３３：第一の切削手段
３３０：第一のハウジング  ３３１：第一のスピンドル  ３３２：フランジ
３３３：第一の成形ブレード  ３３４：ナット
３３５：第三の成形ブレード  ３３６、３３７：フランジ
３４：第二の切削手段
３４０：第二のハウジング  ３４１：第二のスピンドル  ３４２：フランジ
３４３：第二の成形ブレード  ３４４：ナット
３５：アライメント手段  ３５０：撮像部
３６：加工送り手段
３６０：ボールネジ  ３６１：ガイドレール  ３６２：モータ
３７：割り出し送り手段
３７０：ボールネジ  ３７１：パルスモータ  ３７２：ガイドレール  ３７３：移動基台
３８：切り込み送り手段
３８０：ボールネジ  ３８１：パルスモータ  ３８２：ガイドレール  ３８３：支持部
【図１】
2008112253.tif 000003
【図２】
2008112253.tif 000004
【図３】
2008112253.tif 000005
【図４】
2008112253.tif 000006
【図５】
2008112253.tif 000007
【図６】
2008112253.tif 000008
【図７】
2008112253.tif 000009
【図８】
2008112253.tif 000010
【図９】
2008112253.tif 000011
【図１０】
2008112253.tif 000012
【図１１】
2008112253.tif 000013
【図１２】
2008112253.tif 000014
【図１３】
2008112253.tif 000015
【図１４】
2008112253.tif 000016
【図１５】
2008112253.tif 000017
【図１６】
2008112253.tif 000018
【図１７】
2008112253.tif 000019
【図１８】
2008112253.tif 000020
【図１９】
2008112253.tif 000021
【図２０】
2008112253.tif 000022